(57)【要約】【課題】特異な地図表示形態によりユーザの視覚を刺激して、興趣性を高めることのできる電子カメラを提供する。【解決手段】ステップＳ２０４での処理により検索された都道府県が、前記ステップＳ２０１で取得された現在位置都道府県に対して西側であるか否かを判断して（ステップＳ２０５）、表示位置を決定する（ステップＳ２０６、Ｓ２０７）。表示位置を決定したならば、撮影枚数に応じて、当該都道府県を表する際の拡大倍率を算出して、拡大又は縮小処理する（ステップＳ２０８）。この縮小処理（又は拡大処理）した大きさの当該都道府県の地図を、前記現在位置都道府県に近い側から、前記ステップＳ２０６又はＳ２０７で決定した西側又は東側に順次表示させる（ステップＳ２０９）。【選択図】図５
2010050858.tif 000002
【特許請求の範囲】
【請求項１】
表示手段と、
撮影手段と、
地図データを記憶した記憶手段と、
前記撮影手段により撮影される画像に関連する関連情報を取得する第１の取得手段と、
この第１の取得手段により取得された前記関連情報に基づき、前記記憶手段に記憶されている地図データに基づく正規の地図を構成する所定の構成単位を、当該正規の地図における前記構成単位の位置と異なる位置に配置して、前記表示手段に表示させる第１の表示制御手段と
を備えることを特徴とする電子カメラ。
【請求項２】
前記第１の取得手段は、前記撮影手段による前記構成単位に対応する場所毎の撮影日を取得し、
前記第１の表示制御手段は、前記第１の取得手段により取得された前記場所毎の撮影日に応じて、所定の構成単位を、当該正規の地図における前記構成単位の位置と異なる位置に配置して、前記表示手段に表示させることを特徴とする請求項１記載の電子カメラ。
【請求項３】
前記第１の表示制御手段は、予め設定された仮想直線上において、所定の構成単位を、当該正規の地図における前記構成単位の位置と異なる位置に配置して、前記表示手段に表示させることを特徴とする請求項１又は２記載の電子カメラ。
【請求項４】
現在位置を取得する第２の取得手段と、
この第２の取得手段により取得された現在位置に対応する構成単位を前記表示手段に表示させる第２の表示制御手段を備え、
前記第１の表示制御手段は、前記第２の表示制御手段により表示された構成単位を基準にして、所定の構成単位を、当該正規の地図における前記構成単位の位置と異なる位置に配置して、前記表示手段に表示させることを特徴とする請求項１、２又は３記載の電子カメラ。
【請求項５】
前記第１の取得手段により取得された関連情報に応じて、前記所定の構成単位を前記正規の地図における構成単位の大きさとは異なる大きさに変換して前記表示手段に表示させる第３の表示制御手段を備えることを特徴とする請求項１から４にいずれか記載の電子カメラ。
【請求項６】
前記第１の取得手段は、前記関連情報として、前記構成単位に対応する場所毎の前記撮影手段による撮影枚数を取得し、
前記第３の表示制御手段は、前記第１の取得手段により取得された前記場所毎の撮影枚数に応じて、前記正規の地図における構成単位の大きさとは異なる大きさに変換することを特徴とする請求項５記載の電子カメラ。
【請求項７】
前記表示手段に表示された構成単位毎に、文字情報を表示させる第４の表示制御手段を備えることを特徴とする請求項１から６にいずれか記載の電子カメラ。
【請求項８】
前記文字情報には、当該構成単位を示す名称、当該構成単位に対応する場所毎の撮影枚数、撮影日のいずれか少なくとも１つを含むことを特徴とする請求項７記載のカメラ。
【請求項９】
表示手段と、
撮影手段と、
地図データを記憶した記憶手段と、
前記撮影手段により撮影される画像に関連する関連情報を取得する取得手段と、
前記取得手段により取得された関連情報に応じて、前記記憶手段に記憶されている地図データに基づく正規の地図を構成する所定の構成単位を、前記正規の地図における構成単位の大きさとは異なる大きさに変換して前記表示手段に表示させる表示制御手段と
を備えることを特徴とする電子カメラ。
【請求項１０】
表示手段と、撮影手段と、地図データを記憶した記憶手段とを備える電子カメラが有するコンピュータを、
前記撮影手段により撮影される画像に関連する関連情報を取得する取得手段と、
この取得手段により取得された前記関連情報に基づき、前記記憶手段に記憶されている地図データに基づく正規の地図を構成する所定の構成単位を、当該正規の地図における前記構成単位の位置と異なる位置に配置して、前記表示手段に表示させる表示制御手段と
して機能させることを特徴とする電子カメラ制御プログラム。
【請求項１１】
表示手段と、撮影手段と、地図データを記憶した記憶手段とを備える電子カメラが有するコンピュータを、
前記撮影手段により撮影される画像に関連する関連情報を取得する取得手段と、
前記取得手段により取得された関連情報に応じて、前記記憶手段に記憶されている地図データに基づく正規の地図を構成する所定の構成単位を、前記正規の地図における構成単位の大きさとは異なる大きさに変換して前記表示手段に表示させる表示制御手段と
して機能させることを特徴とする電子カメラ制御プログラム。
【発明の詳細な説明】
【技術分野】
【０００１】
本発明は、地図表示機能を備えた電子カメラ、及びこの電子カメラに用いられる電子カメラ制御プログラムに関する。
【背景技術】
【０００２】
従来、電子カメラの興趣性を高めるべく、種々機能を実装することが試みられている。例えば、各都道府県での撮影枚数をカウントする一方、都道府県を示した日本地図を表示し、この地図上において撮影枚数に応じて各都道府県を色分け表示する電子カメラもその一例である（例えば、特許文献１参照。）。
【特許文献１】特開２００５−１０７８６７号公報
【発明の開示】
【発明が解決しようとする課題】
【０００３】
しかしながら、地図において各都道府県を色分け表示することは、地図の表示形態において一般的に行われていることである。したがって、撮影枚数に応じて各都道府県を色分け表示しても、ユーザの視覚は刺激されるものではなく、当該電子カメラの興趣性を高めるまでに至るものではなかった。
【０００４】
本発明は、かかる従来の課題に鑑みてなされたものであり、特異な地図表示形態によりユーザの視覚を刺激して、興趣性を高めることのできる電子カメラを提供することを目的とする。
【課題を解決するための手段】
【０００５】
前記課題を解決するために請求項１記載の発明に係る電子カメラにあっては、表示手段と、撮影手段と、地図データを記憶した記憶手段と、前記撮影手段により撮影される画像に関連する関連情報を取得する第１の取得手段と、この第１の取得手段により取得された前記関連情報に基づき、前記記憶手段に記憶されている地図データに基づく正規の地図を構成する所定の構成単位を、当該正規の地図における前記構成単位の位置と異なる位置に配置して、前記表示手段に表示させる第１の表示制御手段とを備えることを特徴とする。
【０００６】
また、請求項２記載の発明に係る電子カメラにあっては、前記第１の取得手段は、前記撮影手段による前記構成単位に対応する場所毎の撮影日を取得し、前記第１の表示制御手段は、前記第１の取得手段により取得された前記場所毎の撮影日に応じて、所定の構成単位を、当該正規の地図における前記構成単位の位置と異なる位置に配置して、前記表示手段に表示させることを特徴とする。
【０００７】
また、請求項３記載の発明に係る電子カメラにあっては、前記第１の表示制御手段は、予め設定された仮想直線上において、所定の構成単位を、当該正規の地図における前記構成単位の位置と異なる位置に配置して、前記表示手段に表示させることを特徴とする。
【０００８】
また、請求項４記載の発明に係る電子カメラにあっては、現在位置を取得する第２の取得手段と、この第２の取得手段により取得された現在位置に対応する構成単位を前記表示手段に表示させる第２の表示制御手段を備え、前記第１の表示制御手段は、前記第２の表示制御手段により表示された構成単位を基準にして、所定の構成単位を、当該正規の地図における前記構成単位の位置と異なる位置に配置して、前記表示手段に表示させることを特徴とする。
【０００９】
また、請求項５記載の発明に係る電子カメラにあっては、前記第１の取得手段により取得された関連情報に応じて、前記所定の構成単位を前記正規の地図における構成単位の大きさとは異なる大きさに変換して前記表示手段に表示させる第３の表示制御手段を備えることを特徴とする。
【００１０】
また、請求項６記載の発明に係る電子カメラにあっては、前記第１の取得手段は、前記関連情報として、前記構成単位に対応する場所毎の前記撮影手段による撮影枚数を取得し、前記第３の表示制御手段は、前記第１の取得手段により取得された前記場所毎の撮影枚数に応じて、前記正規の地図における構成単位の大きさとは異なる大きさに変換することを特徴とする。
【００１１】
また、請求項７記載の発明に係る電子カメラにあっては、前記表示手段に表示された構成単位毎に、文字情報を表示させる第４の表示制御手段を備えることを特徴とする。
【００１２】
また、請求項８記載の発明に係るカメラにあっては、前記文字情報には、当該構成単位を示す名称、当該構成単位に対応する場所毎の撮影枚数、撮影日のいずれか少なくとも１つを含むことを特徴とする。
【００１３】
また、請求項９記載の発明に係るカメラにあっては、表示手段と、撮影手段と、地図データを記憶した記憶手段と、前記撮影手段により撮影される画像に関連する関連情報を取得する取得手段と、前記取得手段により取得された関連情報に応じて、前記記憶手段に記憶されている地図データに基づく正規の地図を構成する所定の構成単位を、前記正規の地図における構成単位の大きさとは異なる大きさに変換して前記表示手段に表示させる表示制御手段とを備えることを特徴とする。
【００１４】
また、請求項１０記載の発明に係る電子カメラ制御プログラムにあっては、表示手段と、撮影手段と、地図データを記憶した記憶手段とを備える電子カメラが有するコンピュータを、前記撮影手段により撮影される画像に関連する関連情報を取得する取得手段と、この取得手段により取得された前記関連情報に基づき、前記記憶手段に記憶されている地図データに基づく正規の地図を構成する所定の構成単位を、当該正規の地図における前記構成単位の位置と異なる位置に配置して、前記表示手段に表示させる表示制御手段として機能させることを特徴とする。
【００１５】
また、請求項１１記載の発明に係る電子カメラ制御プログラムにあっては、表示手段と、撮影手段と、地図データを記憶した記憶手段とを備える電子カメラが有するコンピュータを、前記撮影手段により撮影される画像に関連する関連情報を取得する取得手段と、前記取得手段により取得された関連情報に応じて、前記記憶手段に記憶されている地図データに基づく正規の地図を構成する所定の構成単位を、前記正規の地図における構成単位の大きさとは異なる大きさに変換して前記表示手段に表示させる表示制御手段と
して機能させることを特徴とする。
【発明の効果】
【００１６】
本発明によれば、特異な地図表示形態によりユーザの視覚を刺激して、電子カメラの興趣性を高めることができる。
【発明を実施するための最良の形態】
【００１７】
以下、本発明の一実施の形態を図に従って説明する。図１は、本発明の一実施の形態に係るデジタルカメラ１の回路構成を示すブロック図である。このデジタルカメラ１は、本体の前面に配置された光学レンズ２、この光学レンズ２により結像されるＣＣＤ等の撮像素子３と、撮像素子３を駆動するためのＴＧ４と、撮像素子３から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路５を有している。そして、被写体の像が光学レンズ２を介して撮像素子３上に結像され、撮像素子３は信号を出力する。この撮像素子３から出力された信号は、ユニット回路５にて、サンプリング、増幅、デジタル化され、画像処理回路／ＣＰＵ６に送られて、この画像処理回路／ＣＰＵ６内で輝度に変換され、輝度の積分やヒストグラム処理が行われる。
【００１８】
前記光学レンズ２は、ＡＦモータ等を備えるレンズ駆動回路７に保持されており、レンズ駆動回路７が画像処理回路／ＣＰＵ６の制御により駆動されることにより光軸方向に移動し、撮像素子３に結像される被写体像のフォーカスを調整する。また、ＡＥ制御時には、撮像素子３が、画像処理回路／ＣＰＵ６から送られるシャッターパルスに基づきＴＧ４によって駆動され、その電荷蓄積時間を制御される。これにより電子シャッターが実現される。
【００１９】
画像処理回路／ＣＰＵ６は各部を制御するものであって、各種の信号処理、及び画像処理機能を備えたものであり、ユニット回路５を経てデジタル信号に変換された撮像信号からビデオ信号を生成し、撮像素子３によって撮像した被写体像をスルー画像としてＴＦＴ液晶モニター等からなる液晶表示部８に表示させる。また、撮像時には、撮像信号を圧縮してＪＰＥＧフォーマットの画像ファイルを生成し、それをフラッシュメモリ等からなる画像記憶媒体９に記憶させ、再生時には圧縮した画像ファイルを伸張して液晶表示部８に表示させる。なお、画像処理回路／ＣＰＵ６は、現在日時を計時する時計部１０を備えており、画像記憶媒体９は着脱自在である。
【００２０】
さらに、画像処理回路／ＣＰＵ６には、十字カーソルキー、シャッターキー、メニューキー等からなる操作キー部１１、メモリー１２、ＧＰＳ（Global Positioning System）モジュール１３、地図データ記憶部１４、及びＲＡＭ１５が接続されている。メモリー１２は、画像処理回路／ＣＰＵ６による各部の制御及び各種データ処理に必要な動作プログラムが記録されたプログラムＲＯＭであり、後述するフローチャートに示す処理を実行するためのプログラム等が記憶されている。
【００２１】
ＧＰＳモジュール１３は、測地衛星からのＬ１帯のＣ／Ａコードを受信して復調・解読し現在位置の緯度・経度を割り出すものであり、ＧＰＳモジュール１３により割り出された緯度・経度の情報は画像処理回路／ＣＰＵ６に取り込まれる。地図データ記憶部１４には、所定の標準サイズ（所定の縮尺）からなる正規の日本地図を示す画像データであって、各都道府県に分離可能な地図画像が記憶されているとともに、「東京都」、「山梨県」、「高知県」等の都道府県名や町名等の場所を示す文字データからなる場所データと、当該場所を示す緯度・経度の範囲データとが対応して記憶されている。ＲＡＭ１５は、各種データを一時的に格納したり、画像処理回路／ＣＰＵ６のワーク用として使用される。
【００２２】
また、ＲＡＭ１５には、図２に示す都道府県別データテーブル１５１が格納されている。この都道府県別データテーブル１５１は、撮影が行われた都道府県名１５２が記憶されるとともに、都道府県名１５２に対応して当該都道府県における撮影枚数１５３、最新の撮影日１５４が撮影の都度更新して記憶される。
【００２３】
次に、以上の構成にかかるデジタルカメラ１の動作を説明する。図３は、撮影モードにおける処理手順を示すフローチャートである。ユーザによる操作キー部１１での操作により、撮影モードが設定されると画像処理回路／ＣＰＵ６は前記プログラムに従って、このフローチャートに示す処理を実行する。
【００２４】
すなわち、撮像素子３によって撮像された被写体像をスルー画像として液晶表示部８に表示させる（ステップＳ１０１）。次に、シャッターキーが操作されたか否かを判断する（ステップＳ１０２）。シャッターキーが操作されたならば、撮像素子３からの画像データを取得する（ステップＳ１０３）。また、時計部１０により計時されている現在日時を撮影日時データとして取得する（ステップＳ１０４）、さらにＧＰＳモジュール１３により割り出された緯度・経度を撮影位置データとして取得するとともに、この撮影位置データが示す位置に対応する都道府県名を取得する（ステップＳ１０５）。
【００２５】
そして、ステップＳ１０３で取得した画像データに、ステップＳ１０４で取得した撮影日時データと、ステップＳ１０５で取得した都道府県名を対応させて画像記憶媒体９に記憶する（ステップＳ１０６）。
【００２６】
また、このステップＳ１０６での画像データの画像記憶媒体９への記憶に応じて、前記都道府県別データテーブル１５１を更新する。つまり、例えば前記ステップＳ１０６で記憶された都道府県名が「北海道」であり、撮影が「北海道」で行われたのであれば、図２の都道府県別データテーブル１５１において、「北海道」の撮影枚数１５３を増加させ、かつ、最新の撮影日１５４を時計部１０により計時されている現在日に更新する。
【００２７】
なお、初めて「北海道」で撮影が行われた場合には、その時点では都道府県別データテーブル１５１の都道府県名１５２に「北海道」が書き込まれていないことから、都道府県名１５２に「北海道」を書き込んだ後、撮影枚数１５３、最新の撮影日１５４を書き込むことになる。
【００２８】
引き続き、撮影モードから他のモードへのモード変更がなされたか否かを判断し（ステップＳ１０８）、モード変更がなされるまで、ステップＳ１０１〜Ｓ１０８のループを繰り返す。したがって、画像記憶媒体９には、図４に示すように、シャッターキーが操作された時点で撮影された複数の画像データＡ、Ｂ、Ｃ・・・に各々対応して、撮影データにおける撮影日時として撮影日時を示す年、月、日、時、分が記憶されるとともに、撮影位置として都道府県名「宮城県」、「北海道」等が記憶される。
【００２９】
また、都道府県別データテーブル１５１は、シャッターキーが操作される都度更新されて、都道府県別の最新撮影枚数や最新撮影日が記憶されることとなる。
【００３０】
図５は、地図作成モードにおける処理手順を示すフローチャートである。ユーザによる操作キー部１１での操作により、地図作成モードが設定されると、画像処理回路／ＣＰＵ６は前記プログラムに従って、このフローチャートに示す処理を実行する。まず、ＧＰＳモジュール１３により割り出された緯度・経度を現在位置位置データとして取得するとともに、この現在位置データが示す位置に対応する都道府県を取得する（ステップＳ２０１）。
【００３１】
次に、液晶表示部８において、画面の中央部に前記ステップＳ２０１で取得した都道府県の地図を表示する（ステップＳ２０２）。このとき、表示する現在都道府県の地図の大きさは前記所定の標準サイズとする。したがって、このデジタルカメラ１を所持したユーザが現在東京都内に位置しているとすると、図６に示すように、液晶表示部８において、画面の中央部に東京都の部分地図８０１が所定の標準サイズで表示される。
【００３２】
引き続き、総撮影枚数、及び一都道府県当たりの平均撮影枚数を算出する（ステップＳ２０３）。すなわち、図２において説明したように、都道府県別データテーブル１５１には、撮影が行われた都道府県名１５２が記憶されるとともに、都道府県名１５２に対応して当該都道府県における撮影枚数１５３、最新の撮影日１５４が撮影の都度更新して記憶される。したがって、撮影枚数１５３欄に記憶されている撮影枚数を合算することより、総撮影枚数を算出することができ、また、この総撮影枚数を都道府県名１５２欄に記憶されている都道府県の数で除することにより、都道府県当たりの平均撮影枚数を算出することができる。
【００３３】
つまり図２に示す状態の都道府県別データテーブル１５１が記憶されているとすると、
総撮影枚数＝４＋１０＋１０＋２０＝４４
となり、
都道府県数は、「北海道」、「宮城県」、「山梨県」、「高知県」の「４」であるから、
都府県当たりの平均撮影枚数＝４４÷４＝１１
となる。
【００３４】
引き続き、都道府県別データテーブル１５１において、最新の撮影日１５４の中で最も新しい日付に対応する都道府県を検索する（ステップＳ２０４）。したがって、図２に示す状態の都道府県別データテーブル１５１が記憶されているとすると、最新の撮影日１５４の中で最も新しい日付に対応する都道府県は、最新の撮影日１５４が「２００８／２／２８」である「北海道」であることから、先ず「北海道」が検索結果として得られる。
【００３５】
次に、このステップＳ２０４での処理により検索された都道府県が、前記ステップＳ２０１で取得された現在位置都道府県に対して西側であるか否かを判断する（ステップＳ２０５）。つまり、本実施形態においては、正規の日本地図上で、現在位置都道府県である「東京都」に対して「北海道」が西側であるか否かを判断する。正規の日本地図上で「北海道」は「東京都」の東側に位置するため、このときステップＳ２０５の判断はＮＯとなる。そのため、ステップＳ２０５からステップＳ２０７に進み、移動直線上において現在位置都道府県（東京都）の東側を地図表示位置に決定する。
【００３６】
しかし、ステップＳ２０４での処理により検索された都道府県が例えば、「高知県」であった場合には、正規の日本地図上で「高知県」は「東京都」に対して西側であることから、ステップＳ２０５の判断はＹＥＳとなる。したがって、この場合には、ステップＳ２０５からステップＳ２０６に進み、移動直線上において現在位置都道府県（東京都）の西側を地図表示位置に決定する。
【００３７】
図７は、前記移動直線を示す図であり、移動直線Ｌは「北海道」と「沖縄県」を結ぶ直線である。したがって、各都道府県の移動位置は、移動直線Ｌ上に制限されることから、各都道府県の移動表示位置が余りにもランダム、バラバラに変化し、却って興趣性が低下する不都合を未然に防止することができる。
【００３８】
そして、ステップＳ２０６又はＳ２０７で表示位置を決定したならば、当該都道府県を表する際の拡大倍率を算出して、拡大又は縮小処理する（ステップＳ２０８）。このステップＳ２０８においける拡大倍率の算出は、下記式を用いて行う。
拡大倍率＝当該都道府県の撮影枚数÷都府県当たりの平均撮影枚数
【００３９】
このとき、本実施形態において都府県当たりの平均撮影枚数は前述のように「１１」であり、また、「北海道」に対応する撮影枚数１５３は「４」であることから、
拡大倍率＝４÷１１≒０．３６となる。
したがって、ステップＳ２０８においては、正規の日本地図における標準サイズの「北海道」の地図部分を０．３６倍して縮小処理する。
【００４０】
引き続き、前記移動直線Ｌ上において、この縮小処理（又は拡大処理）した大きさの当該都道府県の地図を液晶表示部８に表示させる（ステップＳ２０９）。このステップＳ２０９の処理に際しては、各都道府県の地図を、各都道府県に対応する最新の撮影日１５４の新しさに従って、前記現在位置都道府県に近い側から前記ステップＳ２０６又はＳ２０７で決定した西側又は東側に順次表示させる。したがって、このステップＳ２０９の処理が１回目である場合には、現在位置都道府県として「東京都」のみが表示されている状態にあることから、「東京都」の東側に０．３６倍された「北海道」の都道府県地図が表示されることとなる。
【００４１】
そして、この１回目のステップＳ２０９の処理では、最新の撮影日１５４の中で最も新しい日付に対応する都道府県である「北海道」の都道府県地図が、他の都道府県よりも「東京都」の近くに表示されることとなる。
【００４２】
次に、都道府県別データテーブル１５１に記憶されている全ての都道府県に対して以上の処理を実行してその地図を表示したか否かを判断する（ステップＳ２１０）。全ての都道府県に対する処理、表示を終了していない場合には、都道府県別データテーブル１５１にて、次に、直前のステップＳ２０９で表示された都道府県に対応する最新の撮影日１５４の次に新しい最新の撮影日１５４に対応する都道府県を検索して（ステップＳ２１１）、ステップＳ２０５からの処理を繰り返す。
【００４３】
つまり、本実施形態では、ステップＳ２０９の処理がなされる度に最新の撮影日１５４が新しい順に都道府県を検索していくため、「北海道」、「宮城県」、「高知県」、「山梨県」の順番で、これら都道府県がステップＳ２０９での検索結果として順次得られていく。
【００４４】
したがって、本実施形態においては、図６にも示すように、以下の処理がなされることとなる。以下においては、ステップＳ２１１からステップＳ２１０までの一連の処理を、１回あたりの処理として説明をする。但し、１回目の処理は、ステップＳ２０１からステップＳ２１０までの一連の処理であるとする。
【００４５】
（１） １回目の処理
【００４６】
１回目の処理においては、最新の撮影日１５４の中で最も新しい日付に対応する都道府県である「北海道」が検索結果として得られる（ステップＳ２０４）。そして、図６に示すように、「北海道」の部分地図８０２が、移動直線Ｌ上であって「東京都」の東側であって、他の都道府県よりも「東京都」の近くに表示される（ステップＳ２０９）。この表示される「北海道」の部分地図８０２の大きさは、ステップＳ２０８の処理により、正規の日本地図上での標準サイズの「北海道」の地図部分を０．３６倍した大きさとなる。
【００４７】
（２）２回目の処理
【００４８】
２回目の処理においては、直前の処理（１回目の処理）にて表示された「北海道」に対応する最新の撮影日１５４「２００８／２／２８」の、次に新しい最新の撮影日１５４「２００８／２／２０」に対応する「宮城県」が検索される（ステップＳ２１１）。正規の日本地図上で「宮城県」は「東京都」の東側に位置するため、移動直線Ｌ上であって「東京都」の東側が、「宮城道」の部分地図８０３の表示位置として決定される（ステップＳ２０７）。
【００４９】
そして、上述の通りステップＳ２０９では、各都道府県の地図を、各都道府県に対応する最新の撮影日１５４の新しさに従って、現在位置都道府県に近い側から順次表示させる。換言すれば、表示される都道府県に対応する最新の撮影日１５４が古くなるほど、この表示される都道府県の表示位置は現在位置都道府県から遠くなる。本実施形態では、「宮城県」に対応する最新の撮影日１５４「２００８／２／２０」は、「北海道」に対応する撮影日１５４「２００８／２／２８」よりも前の日付、つまり古い日付である。そのため、図６に示すように、「宮城県」の部分地図８０３は、「北海道」の部分地図８０２よりも現在位置都道府県（東京）から遠い位置に表示される（ステップＳ２０９）。
【００５０】
したがって、ステップＳ２０９の処理が「宮城県」に対して実行されると、「北海道」の東側に「宮城県」の都道府県地図が表示されることとなる。その結果、「北海道」の東側に「宮城県」が存在するという、実際にはあり得ない興趣性のある地図を表示させることができる。
【００５１】
また、「宮城県」に対応する撮影枚数１５３は１０枚であるから、２回目の処理におけるステップＳ２０８にて算出される拡大倍率は、
拡大倍率＝１０÷１１≒０．９となる。
【００５２】
そのため、表示される「宮城県」の部分地図８０３の大きさは、ステップＳ２０８の処理により、正規の日本地図上での標準サイズの「宮城県」の地図部分を０．９倍した大きさとなる。
【００５３】
（３）３回目の処理
３回目の処理においては、直前の処理（２回目の処理）にて表示された「宮城県」に対応する最新の撮影日１５４「２００８／２／２０」の、次に新しい最新の撮影日１５４「２００８／２／１０」に対応する「高知県」が検索される（ステップＳ２１１）。正規の日本地図上で「高知県」は「東京都」の西側に位置するため、移動直線Ｌ上であって「東京都」の西側が、「高知道」の部分地図８０４の表示位置として決定される（ステップＳ２０６）。
【００５４】
そして、本実施形態では、「高知県」に対応する最新の撮影日１５４「２００８／２／２０」は、「宮城県」に対応する撮影日１５４「２００８／２／２８」よりも前の日付、つまり古い日付である。そのため、図６に示すように、「高知県」の部分地図８０４は、現在位置都道府県（東京）の西側であって、「宮城県」の部分地図８０３よりも現在位置都道府県（東京）から遠い位置に表示される（ステップＳ２０９）。
【００５５】
また、「高知県」に対応する撮影枚数１５３は１０枚であるから、３回目の処理におけるステップＳ２０８にて算出される拡大倍率は、
拡大倍率＝１０÷１１≒０．９となる。
【００５６】
そのため、表示される「宮城県」の部分地図８０３の大きさは、ステップＳ２０８の処理により、正規の日本地図上での標準サイズの「宮城県」の地図部分を０．９倍した大きさとなる。
【００５７】
（４）４回目の処理
４回目の処理においては、直前の処理（３回目の処理）にて表示された「高知県」に対応する最新の撮影日１５４「２００８／２／１０」の、次に新しい最新の撮影日１５４「２００８／１／３０」に対応する「山梨県」が検索される（ステップＳ２１１）。正規の日本地図上で「山梨県」は「東京都」の西側に位置するため、移動直線Ｌ上であって「東京都」の西側が、「山梨道」の部分地図８０５の表示位置として決定される（ステップＳ２０６）。
【００５８】
そして、本実施形態では、「山梨県」に対応する最新の撮影日１５４「２００８／１／３０」は、「高知県」に対応する撮影日１５４「２００８／２／１０」よりも前の日付、つまり古い日付である。そのため、図６に示すように、「山梨県」の部分地図８０５は、現在位置都道府県（東京）の西側であって、「高知県」の部分地図８０４よりも現在位置都道府県（東京）から遠い位置に表示される（ステップＳ２０９）。
【００５９】
したがって、ステップＳ２０９の処理が「山梨県」に対して実行されると、「高知県」の西側に「山梨県」の都道府県地図が表示されることとなる。その結果、「高知県」の西側に「山梨県」が存在するという、実際にはあり得ない興趣性のある地図を表示させることができる。
【００６０】
また、「山梨県」に対応する撮影枚数１５３は２０枚であるから、３回目の処理におけるステップＳ２０８にて算出される拡大倍率は、
拡大倍率＝２０÷１１≒１．８となる。
【００６１】
そのため、表示される「山梨県」の部分地図８０５の大きさは、ステップＳ２０８の処理により、正規の日本地図上での標準サイズの「山梨県」の地図部分を１．８倍した大きさとなる。
【００６２】
また、以上の処理により、ステップＳ２１０の判断がＹＥＳとなることから、「エンド
したがって、本実施形態では、この地図作成モードにより、図６に示すように、第１に、日本地図として本来あり得ない配列からなる特異な地図を表示させることができる。よって、この特異な地図表示形態によりユーザの視覚を刺激して、興趣性を高めることができる。
【００６３】
また、本実施形態では、各都道府県の地図を、各都道府県に対応する最新の撮影日１５４の新しさに従って、現在位置都道府県に近い側から順次表示させるようにした。このようにすれば、ユーザは本実施形態により表示される特異な地図を鑑賞することによって、旅行等で各都道府県を訪れた最新の日時を直感的に理解することができる。その結果、ユーザは、この特異な地図を鑑賞することによって、旅行等の思い出について深く感慨に浸ることができる。
【００６４】
また、本実施形態では、表示された都道府県の大きさの関係も本来あり得ないものであり、これによっても、ユーザの視覚をさらに刺激して、一層興趣性を高めることができる。
【００６５】
また、本実施形態では、表示させる都道府県の大きさを、各都道府県に対応する撮影枚数１５３に比例させるようにした。このようにすれば、ユーザは本実施形態により表示される特異な地図を鑑賞することによって、撮影を行った回数が多い都道府県、つまり思い出が数多くある都道府県がどれであるのかを直感的に理解することができる。その結果、ユーザは、この特異な地図を鑑賞することによって、旅行等の思い出についてより深く感慨に浸ることができる。
【００６６】
しかも、ユーザが現時点で存在する部分地図８０１を画面中央に表示し、この部分地図８０１を基準として他の部分地図８０２〜８０５の表示を行うことから、部分地図８０２〜８０５の表示位置制御を容易に行うことができる。
【００６７】
なお、図６に示したように、各地図内に「東京都」、「北海道」、「宮城県」等の都道府県名を表示させるようにしてもよい。この場合、ステップＳ２０９での表示処理時にこれらの文字列を表示することになる。このように、都道府県名を表示させれば、地図の形状のみでは判明困難な都道府県を瞬時に明かとなる。無論、逆に都道府県名を表示させることなく地図のみを表示させて、ユーザに当該地図がいずれの都道府県であるか当てさせるようにすれば、これによっても興趣性を高めることができる。
【００６８】
また、図６に示したように、各地図内に「（現在位置）」の文字を表示させたり、「４枚」、「１０枚」等の撮影枚数や、「２００８／２／２８」、「２００８２／２／２０」等の最新撮影日を表示させるようにしてもよい。この場合、ステップＳ２０９での表示処理時にこれらの文字列を表示することになる。これにより、現在位置都道府県、表示された都道府県における撮影枚数や最新撮影日を明瞭に認識することができる。
【００６９】
また、本実施の形態においては、都道府県別データテーブル１５１に４つの都道府県のみが記憶されている場合を示したが、都道府県別データテーブル１５１は、一都、二府、四十二県分のデータを記憶可能である。
また、本実施の形態においては、日本地図を用いて本発明を実施するようにしたが、世界地図を用いて本発明を実施するようにしてもよい。
【００７０】
また、本実施形態においては、各都道府県の地図を、各都道府県に対応する最新の撮影日１５４の新しさに従って現在位置都道府県に近い側から順次表示させるようにして、かつ、表示させる都道府県の大きさを各都道府県に対応する撮影枚数１５３に比例させるようにした。しかし、表示させる各都道府県の位置関係を正規の日本地図上の各都道府県の位置関係と同じままとし、表示させる都道府県の大きさのみを各都道府県に対応する撮影枚数１５３に比例させて変更してもよい。
【００７１】
この場合、画像処理回路／ＣＰＵ６は、図５に示す地図作成モードにおいて、ステップＳ２０４の処理により都道府県を検索した後、ステップＳ２０５、Ｓ２０６、Ｓ２０７の各処理を実行することなく、ステップＳ２０８へと処理を進める。そして、画像処理回路／ＣＰＵ６は、ステップＳ２０８の処理を実行した後、正規の日本地図上における現在位置都道府県と検索した都道府県との位置関係に従い、検索した都道府県を表示させる。この際に表示させる都道府県の部分地図の大きさは、ステップＳ２０８にて拡大処理（縮小処理）が施された大きさとなる。そして、画像処理回路／ＣＰＵ６は、検索した都道府県をこのようにして表示させた後、ステップＳ２０９の処理を実行することなく、ステップＳ２１０、Ｓ２１１へと処理を進める。
【００７２】
そして、２回目以降の処理においても、画像処理回路／ＣＰＵ６は、Ｓ２１１の処理により都道府県を検索した後、ステップＳ２０５、Ｓ２０６、Ｓ２０７の各処理を実行することなく、ステップＳ２０８へと処理を進める。そして、画像処理回路／ＣＰＵ６は、２回目以降の処理においても、ステップＳ２０８の処理を実行した後、正規の日本地図上における現在位置都道府県と検索した都道府県との位置関係に従い、検索した都道府県を表示させる。この際に表示させる都道府県の部分地図の大きさは、ステップＳ２０８にて拡大処理（縮小処理）が施された大きさとなる。そして、画像処理回路／ＣＰＵ６は、２回目以降の処理においても、検索した都道府県をこのようにして表示させた後、ステップＳ２０９の処理を実行することなく、ステップＳ２１０へと処理を進める。
【００７３】
このようすれば、表示された各都道府県の相対的な位置関係は正規の日本地図における位置関係と同じとなるものの、表示された各都道府県の大きさの相対的な関係については本来あり得ないものとなるので、ユーザの視覚をさらに刺激して、興趣性を高めることができる。
【００７４】
また、このようにしても、ユーザは、この特異な地図上での各都道府県の部分地図の大きさを認識することによって、撮影を行った回数が多い都道府県、つまり思い出が数多くある都道府県がどれであるのかを直感的に理解することができる。その結果、ユーザは、この特異な地図を鑑賞することによって、旅行等の思い出について深く感慨に浸ることができる。
【図面の簡単な説明】
【００７５】
【図１】本発明の一実施の形態係るデジタルカメラの回路構成を示すブロック図である。
【図２】都道府県別データテーブルを示す模式図である。
【図３】撮影モードにおける処理手順を示すフローチャートである。
【図４】画像記憶媒体の記憶状態を示す模式図である。
【図５】地図作成モードにおける処理手順を示すフローチャートである。
【図６】表示例を示す図である。
【図７】移動直線を示す説明図である。
【符号の説明】
【００７６】
１    デジタルカメラ
３    撮像素子
４    ＴＧ
５    ユニット回路
６    画像処理回路／ＣＰＵ
７    レンズ駆動回路
８    液晶表示部
９    画像記憶媒体
１０    時計部
１１    操作キー部
１２    メモリー
１３    ＧＰＳモジュール
１４    地図データ記憶部
１５    ＲＡＭ
１５１    都道府県別データテーブル
１５２    都道府県名
１５３    撮影枚数
１５４    撮影日
【図１】
2010050858.tif 000003
【図２】
2010050858.tif 000004
【図３】
2010050858.tif 000005
【図４】
2010050858.tif 000006
【図５】
2010050858.tif 000007
【図６】
2010050858.tif 000008
【図７】
2010050858.tif 000009